(57)【要約】【課題】顧客又は電子機器の操作者の映像、及び操作者が金銭を取り出す映像を録画することができる金銭授受部を備えた電子機器を提供する。【解決手段】電子キャッシュレジスタ１０は、開状態及び閉状態となる金銭収納ケース２５と、カメラ４０と、を備えている。電子キャッシュレジスタ１０は、金銭収納ケース２５が閉状態の場合にはカメラ４０が撮像した第１の位置の映像を録画し、金銭収納ケース２５が開状態の場合にはカメラ４０が撮像した第１の位置とは異なるとともに金銭収納ケース２５を撮像範囲とする第２の位置の映像を録画する。【選択図】図２
2012208691.tif 000002
【特許請求の範囲】
【請求項１】
開状態及び閉状態となる金銭授受部と、
第１の位置と、前記第１の位置とは異なるとともに前記金銭授受部が撮像範囲に入る第２の位置とを撮像可能な撮像部と、
前記金銭授受部が閉状態の場合には前記撮像部が撮像した前記第１の位置の映像を録画し、前記金銭授受部が開状態の場合には前記撮像部が撮像した前記第２の位置の映像を録画する録画装置と、
を備えたことを特徴とする金銭授受部を備えた電子機器。
【請求項２】
前記金銭授受部は、現金処理装置のドロア内に収納されることにより閉状態となり、前記ドロアから引き出されることにより開状態となる金銭収納ケースであり、
前記録画装置は、前記金銭収納ケースが閉状態の場合には前記撮像部が前記第１の位置を撮像可能な位置に配置され、前記金銭収納ケースが開状態の場合には前記撮像部が前記第２の位置を撮像可能な位置に配置されるように、前記金銭収納ケースの前記ドロアからの出入に伴って前記撮像部を回動または移動させる連動機構を有する、
ことを特徴とする請求項１に記載の金銭授受部を備えた電子機器。
【請求項３】
前記連動機構は、一方が前記金銭収納ケースに連結され、他方が前記撮像部に直接又は間接的に連結されたケーブルを備え、
前記金銭収納ケースの前記ドロアからの出入に伴って前記ケーブルが移動することより、前記撮像部が回動または移動することを特徴とする請求項２に記載の金銭授受部を備えた電子機器。
【請求項４】
前記連動機構は、前記撮像部と一体に設けられたピニオンギアと、前記ピニオンギアと直接又は間接的に連結されたラックギアと、をさらに備え、
前記ラックギアが前記ケーブルの移動に伴って移動することにより、前記ピニオンギア及び前記撮像部が回動することを特徴とする請求項３に記載の金銭授受部を備えた電子機器。
【請求項５】
前記連動機構は、前記金銭収納ケースに連結された第１ピストンと、前記撮像部に直接又は間接的に連結された第２のピストンと、前記第１ピストンと前記第２ピストンとが内部を摺動するシリンダと、
を備え、
前記第１ピストンと前記第２ピストンとの間には密閉部が形成され、
前記金銭収納ケースの前記ドロアからの出入に伴って前記第１ピストンが移動するとともに前記第２ピストンが移動することにより、前記撮像部が回動または移動することを特徴とする請求項２に記載の金銭授受部を備えた電子機器。
【請求項６】
前記連動機構は、前記撮像部と一体に設けられたピニオンギアと、前記ピニオンギアと直接又は間接的に連結されたラックギアと、をさらに備え、
前記ラックギアが前記第２のピストンの移動に伴って移動することにより、前記ピニオンギア及び前記撮像部が回動することを特徴とする請求項５に記載の金銭授受部を備えた電子機器。
【請求項７】
前記録画装置は、制御部を備え、
前記撮像部は第１の撮像部と第２の撮像部とからなり、
前記制御部は、前記金銭授受部が閉状態の場合には前記第１の撮像部が撮像した第１の位置の映像を録画し、前記金銭授受部が開状態の場合には前記第２の撮像部が撮像した第２の位置の映像を録画するように制御する、
ことを特徴とする請求項１に記載の金銭授受部を備えた電子機器。
【請求項８】
前記録画装置は、制御部を備え、
前記撮像部は、撮像範囲を切り替え可能であり、
前記制御部は、前記金銭授受部が閉状態の場合には前記撮像部が撮像した第１の位置の映像を録画し、前記金銭授受部が開状態の場合には前記撮像部が撮像した前記第１の位置の映像よりも撮像範囲が狭い第２の位置の映像を録画するように制御する、
ことを特徴とする請求項１に記載の金銭授受部を備えた電子機器。
【発明の詳細な説明】
【技術分野】
【０００１】
本発明は、金銭授受部を備えた電子機器に関する。
【背景技術】
【０００２】
電子キャッシュレジスタが設置された小売店では、防犯などのため、カメラが設置されている。
【０００３】
しかし、露出したカメラが設置されていると、顧客は、監視されているという精神的圧迫を受け、不快であった。
【０００４】
そこで、監視カメラが設置されていることが外観からは判明し難いように、カメラを電子キャッシュレジスタの中に設けることが提案されている（例えば、特許文献１を参照）。
【先行技術文献】
【特許文献】
【０００５】
【特許文献１】特開平９−１７１５９０号公報
【発明の概要】
【発明が解決しようとする課題】
【０００６】
防犯などのため、顧客の映像に加えて、オペレータの映像及びオペレータが金銭を取り出す映像を録画することが望ましい。しかしながら、特許文献１に記載の電子キャッシュレジスタでは、カメラが顧客の方を向いているので、オペレータ及びオペレータが金銭を取り出す映像を撮影することができなかった。また、現金自動預払機（以下、ＡＴＭという）などの金銭を取り扱う電子機器も、共通の課題を有していた。
【０００７】
本発明は、このような問題点に着目してなされたもので、顧客又は電子機器の操作者の映像、及び操作者が金銭を取り出す映像を録画することができる金銭授受部を備えた電子機器を提供することを目的とする。
【課題を解決するための手段】
【０００８】
前記目的を達成するために、本発明に係る金銭授受部を備えた電子機器は、
開状態及び閉状態となる金銭授受部と、
第１の位置と、前記第１の位置とは異なるとともに前記金銭授受部が撮像範囲に入る第２の位置とを撮像可能な撮像部と、
前記金銭授受部が閉状態の場合には前記撮像部が撮像した前記第１の位置の映像を録画し、前記金銭授受部が開状態の場合には前記撮像部が撮像した前記第２の位置の映像を録画する録画装置と、
を備えたことを特徴とする。
【発明の効果】
【０００９】
本発明によれば、顧客又は電子機器の操作者の映像、及び操作者が金銭を取り出す映像を録画することができる金銭授受部を備えた電子機器を提供することができる。
【図面の簡単な説明】
【００１０】
【図１】本発明の第１実施形態に係る電子キャッシュレジスタの斜視図である。
【図２】本発明の第１実施形態に係る電子キャッシュレジスタの要部を示す一部断面図である。
【図３】本発明の第１実施形態に係る電子キャッシュレジスタの図２のIII−III断面図である。
【図４】本発明の第１実施形態に係る電子キャッシュレジスタの構成を示すブロック図である。
【図５】本発明の第２実施形態に係る電子キャッシュレジスタの要部を示す一部断面図である。
【図６】本発明の第２実施形態に係る電子キャッシュレジスタの図５のVI−VI断面図である。
【図７】本発明の第３実施形態に係る電子キャッシュレジスタの要部を示す一部断面図である。
【図８】本発明の第３実施形態に係る電子キャッシュレジスタの図７のVIII−VIII断面図である。
【図９】本発明の第４実施形態に係るＡＴＭの斜視図である。
【図１０】本発明の第４実施形態に係るＡＴＭの構成を示すブロック図である。
【図１１】本発明の第４実施形態に係るＡＴＭの動作を示すフローチャートである。
【図１２】本発明の第５実施形態に係るＡＴＭの斜視図である。
【図１３】本発明の第５実施形態に係るＡＴＭの動作を示すフローチャートである。
【発明を実施するための形態】
【００１１】
（第１実施形態）
本発明の第１の実施形態に係る電子キャッシュレジスタ１０は、図１に示すように、ドロア２０と、カスタマーディスプレイ２８と、支柱３０と、レジスタ本体７０と、を備えている。尚、以下の説明では、図１に示すように、電子キャッシュレジスタ１０の前後方向をＸ方向、横方向をＹ方向、高さ方向をＺ方向として説明する。また、＋Ｘ方向をオペレータ側、−Ｘ方向を顧客側として説明する。
【００１２】
図２に示すように、ドロア２０は、金銭が収納される引き出しであり、ドロア筐体２１と、ドロア筐体２１の収納凹部２１ａ内に収納されるとともに出入可能とされた金銭授受部としての金銭収納ケース２５と、を備えている。
【００１３】
金銭収納ケース２５は、背面に、ロックピン２６を有している。また、ドロア筐体２１は、内部に、金銭収納ケース２５のロックピン２６と係合するフックレバー２３と、フックレバー２３を回動させるフックレバー回動装置２４（図４参照）と、を有している。また、ドロア筐体２１は、内部に、ドロア筐体２１内に収納された金銭収納ケース２５の背面に押圧されることにより圧縮する開放ばね２２を有している。
【００１４】
金銭収納ケース２５は、背面に設けられたロックピン２６がドロア筐体２１のフックレバー２３に係合されることにより、ドロア筐体２１内に収納された状態（破線参照）、すなわち閉状態となる。また、金銭収納ケース２５は、当該係合が解除されることにより、開放ばね２２に押圧されて、ドロア筐体２１内から＋Ｘ方向にＬだけ引き出された状態（実線参照）、すなわち開状態となる。
【００１５】
カスタマーディスプレイ２８は、ドロア２０の後部から上方に延びる支柱３０によって支承され、−Ｘ方向側（顧客側）に取引の合計金額などを表示する表示画面を有している。
【００１６】
支柱３０の内部には、カメラ４０が設けられており、支柱３０の側面には、カメラ４０のレンズ４１と対応する位置に透光板３１が設けられている。透光板３１は、例えば、ポリカーボネート樹脂又はアクリル樹脂などの透光性樹脂から形成されており、その表面にはスモーク調の着色シートが貼られている。また、透光板３１は、ハーフミラー機能を有するガラスから形成されていてもよい。
【００１７】
カメラ４０は、ＣＭＯＳ（Complementary Metal Oxide Semiconductor）などの撮像素子を備えたビデオカメラであり、撮影範囲の被写体を撮影する。
【００１８】
カメラ４０は、図２及び図３に示すように、ピン５２、カメラ回動ギア５３、ラックギア５５、ガイド５６（図３参照）からなる回動機構によって、支柱３０内に支持されている。
【００１９】
カメラ４０のＹ軸に垂直な側面には、支持孔４２が形成されている。カメラ回動ギア５３は、中心に孔部５３ａを有しており、孔部５３ａがカメラ４０の指示孔４２と連通するように、カメラ４０の側面に固着されている。支柱３０のＹ軸に垂直な内壁面には、一対のピン５２が同軸上に設けられている。カメラ４０及びカメラ回動ギア５３は、支持孔４２及び孔部５３ａにピン５２を挿通させることにより、ピン５２を回転軸として回転可能に構成されている。ラックギア５５は、支柱３０内に設けられたガイド５６に沿って、鉛直方向（Ｚ方向）に移動可能に配設されている。ラックギア５５は、カメラ回動ギア５３に噛合しており、鉛直方向に移動することによってカメラ回動ギア５３を回動させる。
【００２０】
図２に示すように、ドロア２０の金銭収納ケース２５と、ラックギア５５は、連動機構部６０により接続されている。連動機構部６０は、遠隔操作ケーブル６１、変速プーリ６３及びラック側ケーブル６５を備えている。
【００２１】
遠隔操作ケーブル６１は、軟質樹脂から形成されたアウターケーブル６１ａに、可撓性のワイヤー６１ｂを挿通したものである。変速用プーリ６３は、直径がｍの大径プーリ６３ａと、直径がｎの小径プーリ６３ｂとが同軸に一体に形成されている。変速用プーリ６３は、支柱３０内のＹ軸に垂直な内壁面に固定された軸６４に回転可能に支持されている。ラック側ケーブル６５は、可撓性のワイヤーから形成されている。
【００２２】
アウターケーブル６１ａは、一端がドロア筐体２１の収納凹部２１ａの奥面板２１ｂに、他端が支柱３０の底面に固定されている。ワイヤー６１ｂは、一端が金銭収納ケース２５の背面に、他端が大径プーリ６３ａに接続されている。また、ラック側ケーブル６５は、一端がラックギア５５の下端に、他端が小径プーリ６３ｂに接続されている。
【００２３】
連動機構部６０は、以上のように構成されているので、金銭収納ケース２５が、ドロア筐体２１内から＋Ｘ方向にＬだけ引き出されると（実線参照）、ワイヤー６１ｂも、＋Ｘ方向にＬだけ引き出される。ワイヤー６１ｂは、変速用プーリ６３を介してラック側ケーブル６５を下方へ引き下げる。このとき、ワイヤー６１ｂが大径プーリ６３ａに接続され、ラック側ケーブル６５が小径プーリ６３ｂに接続されているので、変速用プーリ６３は、ラック側ケーブル６５をＬ×（ｎ／ｍ）だけ−Ｚ方向に移動させる。これにより、ラックギア５５の−Ｚ方向への移動量が調整される。
【００２４】
また、ラックギア５５が−Ｚ方向へ移動することにより、カメラ回動ギア５３がピン５２を回転軸として回転する。ここで、カメラ回動ギア５３の直径を調整することにより、ラックギア５５の移動量に対するカメラ回動ギア５３の回転角度も調整することができる。
【００２５】
このように、カメラ４０は、大径プーリ６３ａと小径プーリ６３ｂの直径の比、及びカメラ回動ギア５３の直径を調整することにより、１８０°回転するように構成されている。
【００２６】
尚、変速プーリ６３を設けず、ワイヤー６１ｂをラックギア５５の下端に直接接続してもよい。
【００２７】
図２に示すように、レジスタ本体７０は、ドロア２０の上に設けられており、上面に、操作部７３を有している。さらに、レジスタ本体７０は、図４に示すように、ＣＰＵ７１、録画部７２を備えている。また、ＣＰＵ７１には、録画装置７２、操作部７３、フックレバー回動装置２４、カスタマーディスプレイ２８、カメラ４０が接続されている。
【００２８】
ＣＰＵ７１は、記憶部（図示せず）内の各種プログラムに応じて、電子キャッシュレジスタ１０の全体動作を制御する中央演算処理装置である。録画装置７２は、カメラ４０により撮影された映像データを記録する。操作部７３は、表示機能とデータ入力機能を有するタッチパネル７３ａ（図２参照）と、ボタン７３ｂ（図２参照）と、から構成されている。また、操作部７３は、ドロア開放ボタン（図示せず）を有している。ドロア開放ボタンは、押圧されることにより、フックレバー回動装置２４にフックレバー２３の回動を指示する信号を出力する。
【００２９】
次に、以上のように構成された電子キャッシュレジスタ１０の動作について説明する。
【００３０】
図２の破線に示すように、電子キャッシュレジスタ１０に電源が投入される前においては、金銭収納ケース２５はドロア筐体２１内に収納され、カメラ４０は金銭収納ケース２５の開方向とは異なる顧客方向（−Ｘ方向）を向いている。この状態で、電子キャッシュレジスタ１０に電源が投入されると、カメラ４０は第１の撮影範囲（破線参照）、すなわち商品が陳列されている店舗内の撮影を開始する。そして、カメラ４０が撮影した第１の撮影範囲（破線参照）の映像データは、録画装置７２（図４参照）に供給され記録される。
【００３１】
顧客が、購入商品を電子キャッシュレジスタ１０まで持ってくると、カメラ４０は、第１の撮影範囲（破線参照）に入る顧客の姿を撮影する。そして、カメラ４０が撮影した第１の撮影範囲（破線参照）の映像データは、録画装置７２（図４参照）に供給され記録される。
【００３２】
顧客から商品を渡されたオペレータは、会計作業のため、電子キャッシュレジスタ１０を操作する。オペレータが、操作部７３のドロア開放ボタンを押圧すると、ＣＰＵ７１にドロアの開放を支持する信号が送信される。ＣＰＵ７１は、フックレバー回動装置２４（図４参照）にフックレバー２３の回動を指示する信号を送信する。フックレバー回動装置２４がフックレバー２３を回動すると、フックレバー２３とロックピン２６との係合が解除される。そして、開放ばね２２が金銭収納ケース２５を前へ押し出す。これにより、金銭収納ケース２５は、ドロア筐体２１からオペレータ方向（＋Ｘ方向）に引き出された状態となる（実線参照）。
【００３３】
金銭収納ケース２５がドロア筐体２１から引き出されるとともに、金銭収納ケース２５の背面に接続されているワイヤー６１ｂがアウターケーブル６１ａ内を摺動して＋Ｘ方向に引き出される。これにより、ワイヤー６１ｂが変速用プーリ６３を介してラック側ケーブル６５を−Ｚ方向に引き下げられる。そして、ラックギア５５がガイド５６（図３参照）に沿って−Ｚ方向に移動する。
【００３４】
ラックギア５５が−Ｚ方向に移動すると、カメラ回動ギア５３及びカメラ４０は、ピン５２を回転軸として１８０°回転する。
【００３５】
これにより、顧客方向（−Ｘ方向）を向いていたカメラ４０は、オペレータ方向（＋Ｘ方向）を向く。そして、カメラ４０は、オペレータ及び金銭収納ケース２５が撮影範囲となる第２の撮影範囲を撮影し（実線参照）、オペレータの会計作業を撮影する。そして、カメラ４０が撮影した第２の撮影範囲（実線参照）の映像データは、録画装置７２（図４参照）に供給され記録される。
【００３６】
以上説明したように、本実施形態の電子キャッシュレジスタ１０によれば、カメラ４０は、金銭収納ケース２５がドロア筐体２１内に収納されている場合には、顧客を撮影し、金銭収納ケース２５がドロア筐体２１から引き出された場合には、オペレータ及び金銭収納ケース２５を撮影する。これにより、顧客の顔の映像、及びオペレータが金銭収納ケース２５から金銭を取り出す映像を録画することができる。
【００３７】
（第２実施形態）
次に、本発明の第２の実施形態に係る電子キャッシュレジスタ１０について説明する。尚、第１実施形態の電子キャッシュレジスタ１０と共通する構成については、特に説明する場合を除き、同一又は対応する符号を付すなどしてその説明を省略する。
【００３８】
本実施形態では、図５に示すように、カメラ４０は、金銭収納ケース２５がドロア筐体２１内に収納されている場合には、オペレータ方向を向き（破線参照）、金銭収納ケース２５がドロア筐体２１から引き出された場合には、金銭収納ケース２５の方向を向く（実線参照）。
【００３９】
図５及び図６に示すように、カメラ４０は、ピン８２、カメラ回動ギア８３、中間ギア８４、ラックギア８５、ガイド８６（図６参照）、軸８７からなる回動機構によって、支柱３０内に支持されている。
【００４０】
カメラ回動ギア８３は、中心に孔部８３ａを有しており、孔部８３ａがカメラ４０の指示孔４２と連通するように、カメラ４０の側面に固着されている。支柱３０のＹ軸に垂直な内壁面には、一対のピン８２が同軸上に設けられている。カメラ４０及びカメラ回動ギア８３は、支持孔４２及び孔部８３ａにピン８２を挿通させることにより、ピン８２を回転軸として回転可能に構成されている。ラックギア８５は、支柱３０内に設けられたガイド８６に沿って、鉛直方向（Ｚ方向）に移動可能に配設されている。ラックギア８５は、中間ギア８４に噛合している。中間ギア８４は、支柱３０内のＹ軸に垂直な内壁面に固定された軸８７に回転可能に支持されている。中間ギア８４が軸８７を回転軸として回動することによって、カメラ回動ギア８３を回動させる。
【００４１】
図５に示すように、ドロア２０の金銭収納ケース２５と、ラックギア８５は、遠隔操作ケーブル６１により接続されている。詳しくは、遠隔操作ケーブル６１のワイヤー６１ｂは、一端が金銭収納ケース２５の背面に、他端がラックギア８５の下端に接続されている。そのため、金銭収納ケース２５が＋Ｘ方向にＬだけ移動すると、ラックギア８５が−Ｚ方向にＬだけ移動する。
【００４２】
また、ラックギア８５が−Ｚ方向へ移動することにより、カメラ回動ギア８３がピン８２を回転軸として回転する。カメラ回動ギア８３の直径を調整することにより、ラックギア８５の移動量に対するカメラ回動ギア８３の回転角度を調整することができる。
【００４３】
このように、カメラ４０は、カメラ回動ギア８３の直径を調整することにより、３０°回転するように構成されている。
【００４４】
次に、以上のように構成された電子キャッシュレジスタ１０の動作について説明する。
【００４５】
図５の破線に示すように、電子キャッシュレジスタ１０に電源が投入される前においては、金銭収納ケース２５はドロア筐体２１内に収納され、カメラ４０はオペレータ方向（＋Ｘ方向）を向いている。この状態で、電子キャッシュレジスタ１０に電源が投入されると、カメラ４０は第１の撮影範囲（破線参照）、すなわちオペレータの撮影を開始する。そして、カメラ４０が撮影した第１の撮影範囲（破線参照）の映像データは、録画装置７２（図４参照）に供給され記録される。
【００４６】
顧客から商品を渡されたオペレータは、会計作業のため、電子キャッシュレジスタ１０を操作する。オペレータが、操作部７３のドロア開放ボタンを押圧すると、ＣＰＵ７１にドロアの開放を支持する信号が送信される。ＣＰＵ７１は、フックレバー回動装置２４（図４参照）にフックレバー２３の回動を指示する信号を送信する。フックレバー回動装置２４がフックレバー２３を回動すると、フックレバー２３とロックピン２６との係合が解除される。そして、開放ばね２２が金銭収納ケース２５を前へ押し出す。これにより、金銭収納ケース２５は、ドロア筐体２１からオペレータ方向（＋Ｘ方向）に引き出された状態となる（実線参照）。
【００４７】
金銭収納ケース２５がドロア筐体２１から引き出されるとともに、金銭収納ケース２５の背面に接続されているワイヤー６１ｂがアウターケーブル６１ａ内を摺動して＋Ｘ方向に引き出される。これにより、ワイヤー６１ｂの他端が接続されているラックギア８５がガイド８６（図６参照）に沿って−Ｚ方向に移動する。
【００４８】
ラックギア８５が−Ｚ方向に移動すると、中間ギア８４が回動するとともに、カメラ回動ギア８３及びカメラ４０は、ピン８２を回転軸として３０°回転する。
【００４９】
これにより、オペレータ方向を向いていたカメラ４０は、引き出された状態の金銭収納ケース２５が撮影範囲に入る方向を向く。そして、カメラ４０は、第２の撮影範囲、すなわちオペレータの会計作業を撮影する（実線参照）。そして、カメラ４０が撮影した第２の撮影範囲（実線参照）の映像データは、録画装置７２（図４参照）に供給され記録される。
【００５０】
以上説明したように、本実施形態の電子キャッシュレジスタ１０によれば、カメラ４０は、金銭収納ケース２５がドロア筐体２１内に収納されている場合には、電子キャッシュレジスタ１０のオペレータを撮影し、金銭収納ケース２５がドロア筐体２１から引き出された場合には、金銭収納ケース２５を撮影する。これにより、オペレータの顔の映像、及びオペレータが金銭収納ケース２５から金銭を取り出す映像を録画することができる。
【００５１】
（第３実施形態）
次に、本発明の第３の実施形態に係る電子キャッシュレジスタ１０について説明する。
尚、第１実施形態の電子キャッシュレジスタ１０と共通する構成については、特に説明する場合を除き、同一又は対応する符号を付すなどしてその説明を省略する。
【００５２】
本実施形態では、図７に示すように、カメラ４０は、金銭収納ケース２５がドロア筐体２１内に収納されている場合には、支柱３０内の上部に配置され（破線参照）、金銭収納ケース２５がドロア筐体２１から引き出された場合には、支柱３０内の下方に配置される（実線参照）。
【００５３】
図８に示すように、カメラ４０は、カメラ４０の側部に設けられた４つのローラー９１と、支柱３０内に鉛直方向（Ｚ方向）に配設された断面略Ｃ字形状の一対の固定レール９２と、からなるスライド機構によって、支柱３０内に支持されている。
【００５４】
図７に戻り、カメラ４０と、ドロア２０の金銭収納ケース２５は、ピストン機構を介して接続されている
【００５５】
ピストン機構は、金銭収納ケース２５側には、収納ケース２５の背面に接続されたピストンロッド９３と、ピストンロッド９３に固定されたピストン９４と、ピストン９４が内部を摺動するシリンダ９５と、を備えている。また、ピストン機構は、カメラ４０側には、カメラ４０の下部に接続されたピストンロッド９６と、ピストンロッド９６に固定されたピストン９７と、ピストン９７が内部を摺動するシリンダ９８と、を備えている。
【００５６】
さらに、ピストン機構は、シリンダ９５とシリンダ９８とを接続するとともに両シリンダ内の作動流体、例えば空気などの流路となる中空チューブ９９と、を備えている。尚、ピストン９４、９７にはシリンダ９５、９８と摺接するシール材が取り付けられていてもよい。また、中空チューブ９９を設けず、シリンダ９５とシリンダ９８とを一体的に形成してもよい。
【００５７】
ピストン９４とピストン９７との間に形成された空間は密閉部をなし、ピストン９４が移動することによってピストン９７が追従し、密閉部の内容積を一定に保持するように構成されている。
【００５８】
そのため、金銭収納ケース２５がドロア筐体２１から＋Ｘ方向にＬだけ引き出されると、金銭収納ケース２５の背面に接続されたピストンロッド９３も＋Ｘ方向にＬだけ引き出される。これにより、ピストンロッド９３に固定されたピストン９４がシリンダ９５内を金銭収納ケース２５側（＋Ｘ方向）に摺動し、密閉部の内容積を拡大しようとする。このとき、密閉部内に負の圧力が発生し、この負の圧力により、カメラ４０側のピストン９７は下方（−Ｚ方向）へ移動する。そして、ピストン９７の移動に伴い、ピストンロッド９６とともにカメラ４０が下方（−Ｚ方向）へ移動する。
【００５９】
このとき、シリンダ９５、９８の直径を調整することにより、カメラ４０が支柱３０の下方の所定の位置に移動するように構成されている。
【００６０】
次に、以上のように構成された電子キャッシュレジスタ１０の動作について説明する。
【００６１】
図７の破線に示すように、電子キャッシュレジスタ１０に電源が投入される前においては、金銭収納ケース２５はドロア筐体２１内に収納され、カメラ４０は、オペレータ方向（＋Ｘ方向）に向いた状態で、支柱３０の上方（＋Ｚ方向）に配置される。この状態で、電子キャッシュレジスタ１０に電源が投入されると、カメラ４０は第１の撮影範囲（破線参照）、すなわちオペレータの撮影を開始する。そして、カメラ４０が撮影した第１の撮影範囲（破線参照）の映像データは、録画装置７２（図４参照）に供給され記録される。
【００６２】
顧客から商品を渡されたオペレータは、会計作業のため、電子キャッシュレジスタ１０を操作する。オペレータが、操作部７３のドロア開放ボタンを押圧すると、ＣＰＵ７１にドロアの開放を支持する信号が送信される。ＣＰＵ７１は、フックレバー回動装置２４（図４参照）にフックレバー２３の回動を指示する信号を送信する。フックレバー回動装置２４がフックレバー２３を回動すると、フックレバー２３とロックピン２６との係合が解除される。そして、開放ばね２２が金銭収納ケース２５を前へ押し出す。これにより、金銭収納ケース２５は、ドロア筐体２１からオペレータ方向（＋Ｘ方向）に引き出された状態となる（実線参照）。
【００６３】
金銭収納ケース２５がドロア筐体２１から引き出されるとともに、ピストン９４がシリンダ９５内を金銭収納ケース２５側（＋Ｘ方向）に摺動する。これにより、カメラ４０側のピストン９７は下方（−Ｚ方向）へ移動する。そして、ピストン９７の移動に伴い、ピストンロッド９６とともにカメラ４０が支柱３０の下方の所定の位置に移動する。
【００６４】
これにより、支柱３０の上方に配置されていたカメラ４０は、支柱３０の下方（−Ｚ方向）に移動して、引き出された状態の金銭収納ケース２５が撮影範囲に入る位置に配置される。そして、カメラ４０は、第２の撮影範囲、すなわちオペレータの会計作業を撮影する（実線参照）。そして、カメラ４０が撮影した第２の撮影範囲（実線参照）の映像データが、録画装置７２（図４参照）に供給され記録される。
【００６５】
以上説明したように、本実施形態の電子キャッシュレジスタ１０によれば、カメラ４０は、金銭収納ケース２５がドロア筐体２１内に収納されている場合には、電子キャッシュレジスタ１０のオペレータを撮影し、金銭収納ケース２５がドロア筐体２１から引き出された場合には、金銭収納ケース２５を撮影する。これにより、オペレータの顔の映像、及びオペレータが金銭収納ケース２５から金銭を取り出す映像を録画することができる。
【００６６】
（第４実施形態）
本発明の第４の実施形態に係るＡＴＭ１００は、図９に示すように、顧客操作表示盤１０１、紙幣入出金口１０２、シャッター１０３、第１カメラ１０４、第２カメラ１０５、透光板１０６を備えている。
【００６７】
顧客操作表示盤１０１は、表示機能、及びデータ入力機能を有するタッチパネルで形成されている。紙幣入出金口１０２は、上面に開口部を有する凹状部であり、金銭授受部として、紙幣の受け入れ、又は払い出しを行う。紙幣入出金口１０２の開口部には、アクチュエータ１０３ａ（図１０参照）で駆動するシャッター１０３が設けられている。また、シャッター１０３には、シャッターの開閉状況を示す信号を出力するシャッター開閉センサ１０３ｂ（図１０参照）が設けられている。
【００６８】
第１カメラ１０４及び第２カメラ１０５は、ＣＭＯＳ（Complementary Metal Oxide Semiconductor）などの撮像素子を備えたビデオカメラであり、撮影範囲の被写体を撮影する。第１カメラ１０４及び第２カメラ１０５は、ＡＴＭ１００の筐体内に固定されている。第１カメラ１０４は、顧客操作表示盤１０１側に配設され、撮影範囲として、顧客操作表示盤１０１（第１の撮影範囲、破線参照）を主に撮影する。また、第２カメラ１０５は、紙幣入出金口１０２側に配設され、撮影範囲として、紙幣入出金口１０２（第２の撮影範囲、実線参照）を主に撮影する。
【００６９】
透光板１０６は、例えば、ポリカーボネート樹脂又はアクリル樹脂などの透光性樹脂から形成されており、その表面にはスモーク調の着色シートが貼られている。また、透光板３１は、ハーフミラー機能を有するガラスから形成されていてもよい。
【００７０】
上述のように構成されたＡＴＭ１００は、図１０に示すように、さらに、ＣＰＵ１１０、録画装置１１１を備えている。ＣＰＵ１１０には、顧客操作表示盤１０１、紙幣入出金口１０２、アクチュエータ１０３ａ、シャッター開閉センサ１０３ｂ、第１カメラ１０４、第２カメラ１０５、録画部１１１が接続されている。
【００７１】
ＣＰＵ１１０は、記憶部（図示せず）内の各種プログラムに応じて、ＡＴＭ１００の全体動作を制御する中央演算処理装置である。録画装置１１１は、第１カメラ１０４及び第２カメラ１０５により撮影された映像データを記録する。また、顧客操作表示盤１０１は、ＡＴＭ１００の操作者が所定の操作をすることにより、アクチュエータ１０３ａに開放信号を出力する。
【００７２】
次に、以上のように構成されたＡＴＭ１００の撮影処理について説明する。
【００７３】
図１１に示すように、ＡＴＭ１００に電源が投入されると、ＣＰＵ１１０は、シャッター開閉センサ１０３ｂからの信号を入力し（ステップＳ４０１）、紙幣入出金口１０２のシャッター１０３が閉じているかどうかを判断する（ステップＳ４０２）。
【００７４】
ＡＴＭ１００が利用されていない場合、又は利用されているがシャッター１０３が閉じている場合には（ステップＳ４０２；Ｙｅｓ）、ＣＰＵ１１０は、第１カメラ１０４に第１の撮影範囲（図９の破線参照）、すなわち顧客操作表示盤１０１を撮影させ、その映像データを、録画装置１１１（図１０参照）に供給し記録する（ステップＳ４０３）。
【００７５】
一方、ＡＴＭ１００が利用されてシャッター１０３が閉じていない場合（ステップＳ４０２；Ｎｏ）、ＣＰＵ１１０は、第２カメラ１０５に第２の撮影範囲（図９の実線参照）、すなわち紙幣入出金口１０２を撮影させ、その映像データを、録画装置１１１（図１０参照）に供給し記録する（ステップＳ４０４）。その後、ＡＴＭ１００は、所定の時間毎、上記処理を周期的に実行する。
【００７６】
以上説明したように、本実施形態のＡＴＭ１００によれば、紙幣入出金口１０２のシャッター１０３が閉じている場合には、第１カメラ１０４が顧客操作表示盤１０１を撮影した映像を録画し、紙幣入出金口１０２のシャッター１０３が開いている場合には、第２カメラ１０５が紙幣入出金口１０２を撮影した映像を録画する。これにより、ＡＴＭ１００の操作者の顔の映像と、操作者が紙幣入出金口１０２から金銭を取り出す映像を録画することができる。
【００７７】
また、本実施形態では、第１カメラ１０４及び第２カメラ１０５は、ＡＴＭ１００の筐体内に固定されており、ＣＰＵ１１０が、どちらのカメラで撮影するかを制御している。そのため、上記第１乃至第３実施形態のように、カメラが回動又は移動しないので、撮影された映像が、揺れることがない。
【００７８】
（第５実施形態）
次に、本発明の第５の実施形態に係るＡＴＭ１００について説明する。尚、第４実施形態のＡＴＭ１００と共通する構成については、特に説明する場合を除き、同一又は対応する符号を付すなどしてその説明を省略する。
【００７９】
図１２に示すように、本実施形態のＡＴＭ１００は、その筐体内に１台のカメラ１２０を備えている。カメラ１２０は、ズーム機能を有するレンズユニット（図示せず）を備えており、広角撮影モードと、ズーム撮影モードと、を設定可能とされている。カメラ１２０は、広角撮影モードでは、撮影範囲として、顧客操作表示盤１０１及び紙幣入出金口１０２（第１の撮影範囲、破線参照）を撮影する。また、カメラ１２０は、ズーム撮影モードでは、撮影範囲として、紙幣入出金口１０２（第２の撮影範囲、実線参照）を主に撮影する。
【００８０】
次に、以上のように構成されたＡＴＭ１００の撮影処理について説明する。
【００８１】
図１３に示すように、ＡＴＭ１００に電源が投入されると、ＣＰＵ１１０は、シャッター開閉センサ１０３ｂからの信号を入力し（ステップＳ５０１）、紙幣入出金口１０２のシャッター１０３が閉じているかどうかを判断する（ステップＳ５０２）。
【００８２】
ＡＴＭ１００が利用されていない場合、又は利用されているがシャッター１０３が閉じている場合には（ステップＳ５０２；Ｙｅｓ）、ＣＰＵ１１０は、カメラ１２０に第１の撮影範囲（図１２破線参照）、すなわち顧客操作表示盤１０１及び紙幣入出金口１０２を撮影させ、その映像データを、録画装置１１１（図１０参照）に供給し記録する（ステップＳ５０３）。
【００８３】
一方、ＡＴＭ１００が利用されてシャッター１０３が閉じていない場合（ステップＳ５０２；Ｎｏ）、ＣＰＵ１１０は、カメラ１２０に第２の撮影範囲（図１２実線参照）、すなわち紙幣入出金口１０２を撮影させ、その映像データを、録画装置１１１（図１０参照）に供給し記録する（ステップＳ５０４）。その後、ＡＴＭ１００は、所定の時間毎、上記処理を周期的に実行する。
【００８４】
以上説明したように、本実施形態のＡＴＭ１００によれば、紙幣入出金口１０２のシャッター１０３が閉じている場合には、広角撮影モードで顧客操作表示盤１０１及び紙幣入出金口１０２を撮影した映像を録画し、紙幣入出金口１０２のシャッター１０３が開いている場合には、ズーム撮影モードで紙幣入出金口１０２を撮影した映像を録画する。これにより、紙幣入出金口１０２のシャッター１０３が閉じている場合には、ＡＴＭ１００の周辺や操作者の顔の映像を録画することができ、また、紙幣入出金口１０２のシャッター１０３が開いている場合には、操作者が紙幣入出金口１０２から金銭を取り出すときの手などを高い倍率で鮮明に撮影した映像を録画することができる。
【００８５】
なお、本発明は上記の実施形態に限定されるものではなく、種々の変形が可能である。
【００８６】
上記の第１乃至３の実施形態では、電子キャッシュレジスタ１０に電源が投入されると、カメラ４０が作動していたが、これに限定されるものではない。例えば、電源が投入された電子キャッシュレジスタ１０に、オペレータがオペレータキーを差し込むことにより、カメラ４０が作動するようにしてもよい。
【００８７】
上記の第１乃至第３実施形態では、カメラ４０を回動させるために、遠隔操作ケーブル６０を使用し、また、カメラ４０を上下に移動させるために、ピストン機構を使用した。しかし、これに限定されるものではない。カメラ４０を回動させるために、ピストン機構を使用してもよく、カメラ４０を上下に移動させるために、遠隔操作ケーブル６０を使用してもよい。
【００８８】
上記の第１乃至第３実施形態では、カメラ４０を回動又は移動させるため、遠隔操作ケーブル６０又はピストン機構を使用していたが、これに限定されるものではない。カメラ４０を回動又は移動させるためのモーターを備え、金銭収納ケース２５の開閉動作に応じてモーターを作動させることにより、カメラ４０を回動又は移動させるようにしてもよい。
【００８９】
上記の第１乃至第３実施形態では、本発明を電子キャッシュレジスタに適用した実施形態を示したが、セルフＰＯＳ端末に適用してもよい。この場合は、顧客が品物をスキャニングしている時には、カメラはスキャナの方向を向き、スキャニングが終了し金銭の支払いをしている時には、カメラは金銭投入口の方向を向くようにしてもよい。これにより、偽造紙幣の投入を監視することができる。
【００９０】
上記の第４実施形態では、本発明をＡＴＭに適用した実施形態を示したが、電子キャッシュレジスタに適用してもよい。この場合は、支柱内に、顧客側を向いたカメラと、オペレータ側を向いたカメラと、を備え、金銭収納ケース２５がドロア筐体２１内に収納されている場合には、顧客側を向いたカメラが撮影した映像が録画され、金銭収納ケース２５がドロア筐体２１から引き出された場合には、オペレータ側を向いたカメラが撮影した映像が録画されるようにしてもよい。
【００９１】
上記の第５実施形態では、本発明をＡＴＭに適用した実施形態を示したが、電子キャッシュレジスタに適用してもよい。この場合は、支柱内に、広角撮影モードと、ズーム撮影モードと、を設定可能なカメラを備え、金銭収納ケース２５がドロア筐体２１内に収納されている場合には、オペレータ及び金銭収納ケースを撮影範囲とした映像が録画され、金銭収納ケース２５がドロア筐体２１から引き出された場合には、金銭収納ケース２５を主な撮影範囲とした映像が録画されるようにしてもよい。
【００９２】
なお、各種の電子キャッシュレジスタ、ＰＯＳ（Point Of Sales）端末、セルフＰＯＳ端末、ＡＴＭなどの電子機器に本発明を適用することができる。すなわち、上述の実施形態は説明のためのものであり、本発明の範囲を制限するものではない。したがって、当業者であればこれらの各要素又は全要素をこれと均等なものに置換した実施形態を採用することが可能であるが、これらの実施形態も本発明の範囲に含まれる。以下に、本願出願の当初の特許請求の範囲に記載された発明を付記する。
【００９３】
（付記１）
開状態及び閉状態となる金銭授受部と、
第１の位置と、前記第１の位置とは異なるとともに前記金銭授受部が撮像範囲に入る第２の位置とを撮像可能な撮像部と、
前記金銭授受部が閉状態の場合には前記撮像部が撮像した前記第１の位置の映像を録画し、前記金銭授受部が開状態の場合には前記撮像部が撮像した前記第２の位置の映像を録画する録画装置と、
を備えたことを特徴とする金銭授受部を備えた電子機器。
【００９４】
（付記２）
前記金銭授受部は、現金処理装置のドロア内に収納されることにより閉状態となり、前記ドロアから引き出されることにより開状態となる金銭収納ケースであり、
前記録画装置は、前記金銭収納ケースが閉状態の場合には前記撮像部が前記第１の位置を撮像可能な位置に配置され、前記金銭収納ケースが開状態の場合には前記撮像部が前記第２の位置を撮像可能な位置に配置されるように、前記金銭収納ケースの前記ドロアからの出入に伴って前記撮像部を回動または移動させる連動機構を有する、
ことを特徴とする付記１に記載の金銭授受部を備えた電子機器。
【００９５】
（付記３）
前記連動機構は、一方が前記金銭収納ケースに連結され、他方が前記撮像部に直接又は間接的に連結されたケーブルを備え、
前記金銭収納ケースの前記ドロアからの出入に伴って前記ケーブルが移動することより、前記撮像部が回動または移動することを特徴とする付記２に記載の金銭授受部を備えた電子機器。
【００９６】
（付記４）
前記連動機構は、前記撮像部と一体に設けられたピニオンギアと、前記ピニオンギアと直接又は間接的に連結されたラックギアと、をさらに備え、
前記ラックギアが前記ケーブルの移動に伴って移動することにより、前記ピニオンギア及び前記撮像部が回動することを特徴とする付記３に記載の金銭授受部を備えた電子機器。
【００９７】
（付記５）
前記連動機構は、前記金銭収納ケースに連結された第１ピストンと、前記撮像部に直接又は間接的に連結された第２のピストンと、前記第１ピストンと前記第２ピストンとが内部を摺動するシリンダと、
を備え、
前記第１ピストンと前記第２ピストンとの間には密閉部が形成され、
前記金銭収納ケースの前記ドロアからの出入に伴って前記第１ピストンが移動するとともに前記第２ピストンが移動することにより、前記撮像部が回動または移動することを特徴とする付記２に記載の金銭授受部を備えた電子機器。
【００９８】
（付記６）
前記連動機構は、前記撮像部と一体に設けられたピニオンギアと、前記ピニオンギアと直接又は間接的に連結されたラックギアと、をさらに備え、
前記ラックギアが前記第２のピストンの移動に伴って移動することにより、前記ピニオンギア及び前記撮像部が回動することを特徴とする付記５に記載の金銭授受部を備えた電子機器。
【００９９】
（付記７）
前記録画装置は、制御部を備え、
前記撮像部は第１の撮像部と第２の撮像部とからなり、
前記制御部は、前記金銭授受部が閉状態の場合には前記第１の撮像部が撮像した第１の位置の映像を録画し、前記金銭授受部が開状態の場合には前記第２の撮像部が撮像した第２の位置の映像を録画するように制御する、
ことを特徴とする付記１に記載の金銭授受部を備えた電子機器。
【０１００】
（付記８）
前記録画装置は、制御部を備え、
前記撮像部は、撮像範囲を切り替え可能であり、
前記制御部は、前記金銭授受部が閉状態の場合には前記撮像部が撮像した第１の位置の映像を録画し、前記金銭授受部が開状態の場合には前記撮像部が撮像した前記第１の位置の映像よりも撮像範囲が狭い第２の位置の映像を録画するように制御する、
ことを特徴とする付記１に記載の金銭授受部を備えた電子機器。
【符号の説明】
【０１０１】
１０…電子キャッシュレジスタ、２０…ドロア、２１…ドロア筐体、２２…開放ばね、２５…金銭収納ケース、２８…カスタマーディスプレイ、３０…支柱、３１…透光板、４０…カメラ、４１…レンズ、５２…ピン、５３…カメラ回動ギア、５５…ラックギア、５６…ガイド、６０…連動機構部、６１…遠隔操作ケーブル、６１ａ…アウターケーブル、６１ｂ…ワイヤー、６３…変速用プーリ、６４…軸、６５…ラック側ケーブル、７０…レジスタ本体、７１…ＣＰＵ、７２…録画装置、７３…操作部、８２…ピン、８３…カメラ回動ギア、８４…中間ギア、８５…ラックギア、８６…ガイド、９１…ローラー、９２…固定レール、９３…ピストンロッド、９４…ピストン、９５…シリンダ、９６…ピストンロッド、９７…ピストン、９８…シリンダ、１００…ＡＴＭ、１０１…顧客操作表示盤、１０２…紙幣入出金口、１０３…シャッター、１０４…第１カメラ、１０５…第２カメラ、１０６…透光板、１１０…ＣＰＵ、１１１…録画装置、１２０…カメラ
【図１】
2012208691.tif 000003
【図２】
2012208691.tif 000004
【図３】
2012208691.tif 000005
【図４】
2012208691.tif 000006
【図５】
2012208691.tif 000007
【図６】
2012208691.tif 000008
【図７】
2012208691.tif 000009
【図８】
2012208691.tif 000010
【図９】
2012208691.tif 000011
【図１０】
2012208691.tif 000012
【図１１】
2012208691.tif 000013
【図１２】
2012208691.tif 000014
【図１３】
2012208691.tif 000015